(57)【要約】【課題】高品質で量産性に優れたブラシを提供する。【解決手段】ブラシ１１は、塑性変形可能な一対の芯材１２と、所定方向へ規則的に並列した複数の毛羽１３ａを一体に形成してなる編物の加工品にて構成された帯状の毛羽体１３とを備える。そして、ブラシ１１は、両芯材１２と各毛羽１３ａとが直交するように、毛羽体１３が両芯材１２により挟持された状態で、該両芯材１２を束ねて捻ることによって、該両芯材１２の長手方向に沿って各毛羽１３ａが螺旋状に配列されるように形成される。【選択図】図１
2008104816.tif 000002
【特許請求の範囲】
【請求項１】
所定方向に沿って延びる塑性変形可能な芯材と、所定方向へ規則的に並列した複数の毛羽を一体に形成してなる帯状の毛羽体とを備え、
前記芯材により該芯材と前記各毛羽とが交差するように前記毛羽体を支持した状態で、該芯材を捻ることによって、該芯材の長手方向に沿って前記各毛羽を螺旋状に配列してなることを特徴とするブラシ。
【請求項２】
前記毛羽体は、前記各毛羽を規則的に並列した状態において互いに連結する連結部を備え、
前記芯材は、前記毛羽体における前記連結部の部分を支持した状態で捻られることを特徴とする請求項１に記載のブラシ。
【請求項３】
前記連結部は、前記毛羽体の短手方向における中央部に位置して該毛羽体の長手方向に沿って延びるように設けられていることを特徴とする請求項２に記載のブラシ。
【請求項４】
前記毛羽体は、糸を編んでなる編物の加工品によって構成されていることを特徴とする請求項１〜請求項３のうちいずれか一項に記載のブラシ。
【請求項５】
前記毛羽体は、糸を織ってなる織物の加工品によって構成されていることを特徴とする請求項１〜請求項３のうちいずれか一項に記載のブラシ。
【発明の詳細な説明】
【技術分野】
【０００１】
本発明は、芯材の表面に複数の毛羽を螺旋状に配列したブラシに関する。
【背景技術】
【０００２】
従来、この種のブラシとしては、特許文献１に記載のブラシ（ねじりブラシ）が知られている。この特許文献１のブラシは、４本の芯線（芯材）の間に多数本の毛材（毛羽）を芯線方向から見た場合に井桁状をなすように配列して設けた状態で、該各芯線の両端を束ねて捻りを加えることで形成される。
【特許文献１】特開平７−２４６１１４号公報
【発明の開示】
【発明が解決しようとする課題】
【０００３】
ところで、特許文献１のねじりブラシは、該ブラシを形成する際に、各芯線の間に各毛材を１本ずつのピッチで芯線に対し直交して井桁状をなすように配列しなければならないため、その配列作業が繁雑であるばかりか、芯材に捻りを加える段階で各毛材がばらけ易く、該各毛材の密度を均一にすることが困難であった。このため、特許文献１のブラシは、量産性に乏しく、品質を確保することが困難であるという問題があった。
【０００４】
本発明は、このような課題に着目してなされたものである。その目的とするところは、高品質で量産性に優れたブラシを提供することにある。
【課題を解決するための手段】
【０００５】
上記の目的を達成するために、請求項１に記載の発明は、所定方向に沿って延びる塑性変形可能な芯材と、所定方向へ規則的に並列した複数の毛羽を一体に形成してなる帯状の毛羽体とを備え、前記芯材により該芯材と前記各毛羽とが交差するように前記毛羽体を支持した状態で、該芯材を捻ることによって、該芯材の長手方向に沿って前記各毛羽を螺旋状に配列してなることを要旨とする。
【０００６】
上記構成によれば、毛羽体が規則的に並列した複数の毛羽を一体に形成してなるため、芯材によって該毛羽体を支持する際において、その作業が容易になるとともに、各毛羽の規則的に並列した状態（各毛羽の密度が均一の状態）が維持される。したがって、高品質で量産性に優れたブラシを提供することが可能となる。
【０００７】
請求項２に記載の発明は、請求項１に記載の発明において、前記毛羽体は、前記各毛羽を規則的に並列した状態において互いに連結する連結部を備え、前記芯材は、前記毛羽体における前記連結部の部分を支持した状態で捻られることを要旨とする。
【０００８】
上記構成によれば、芯材により連結部を支持することで、芯材によって各毛羽がより一層強固に支持されるので、各毛羽の抜け落ちが効果的に抑制される。
請求項３に記載の発明は、請求項２に記載の発明において、前記連結部は、前記毛羽体の短手方向における中央部に位置して該毛羽体の長手方向に沿って延びるように設けられていることを要旨とする。
【０００９】
上記構成によれば、毛羽体の短手方向における連結部を挟んだ両側に各毛羽がバランスよく配置されるので、芯材の長手方向に沿って各毛羽をバランスよく螺旋状に配列することが可能となる。
【００１０】
請求項４に記載の発明は、請求項１〜請求項３のうちいずれか一項に記載の発明において、前記毛羽体は、糸を編んでなる編物の加工品によって構成されていることを要旨とする。
【００１１】
上記構成によれば、毛羽体を編物の加工品で構成することで、毛羽体を容易に形成することが可能となる。
請求項５に記載の発明は、請求項１〜請求項３のうちいずれか一項に記載の発明において、前記毛羽体は、糸を織ってなる織物の加工品によって構成されていることを要旨とする。
【００１２】
上記構成によれば、毛羽体を織物の加工品で構成することで、毛羽体を容易に形成することが可能となる。
【発明の効果】
【００１３】
本発明によれば、高品質で量産性に優れたブラシを提供することができる。
【発明を実施するための最良の形態】
【００１４】
以下、本発明を具体化した一実施形態を図面に基づいて説明する。
図１に示すように、ブラシ１１は、金属等の塑性変形可能な一対の棒状の芯材１２と、所定方向へ規則的に並列した複数の毛羽１３ａを一体に形成してなる帯状の毛羽体１３とを備え、捻り加工された芯材１２の長手方向に沿って複数の毛羽１３ａが螺旋状に立設されている。すなわち、ブラシ１１は、両芯材１２により該両芯材１２と各毛羽１３ａとが直交するように毛羽体１３を挟持した状態で、該両芯材１２のそれぞれの両端部を束ねて捻ることによって、該両芯材１２の長手方向に沿って各毛羽１３ａが螺旋状に配列されるようになっている。
【００１５】
図３に示すように、毛羽体１３は、所定方向（図３では左右方向）へ規則的に並列した複数の毛羽１３ａを、連結部を構成する複数（本実施形態では３本）の連結糸１４により互いに連結することで、全体として各毛羽１３ａの並列方向に長い帯状をなすように形成される。すなわち、毛羽体１３は、該毛羽体１３の短手方向における中央部を該毛羽体１３の長手方向に沿って互いに平行に延びる各連結糸１４により各毛羽１３ａが互いに編まれることで形成される。
【００１６】
次に、ブラシ１１の製造方法について詳述する。
図２に示すように、まず、全体として一定幅の帯状をなすように所定方向（図２では左右方向）へ一定ピッチで蛇行状に延びる基糸１５を、該基糸１５の短手方向（幅方向）における中央部において該基糸１５の長手方向に沿って互いに平行に延びる複数（本実施形態では３本）の連結糸１４により編むことで編物１６を形成する。この場合、各連結糸１４を挟んだ両側の基糸１５は、ループ状になっている。
【００１７】
続いて、このループ状の基糸１５の短手方向における両端部を（図２の一点鎖線Ａで示す位置にて）切断することにより、図３に示す毛羽体１３が形成される（毛羽体形成工程）。したがって、毛羽体１３は基糸１５と各連結糸１４とを編んでなる編物１６の一部を切断加工してなる該編物１６の加工品によって構成されるため、毛羽体１３の各毛羽１３ａの密度は均一になる。この場合、各毛羽１３ａは、ループ状の基糸１５が開繊されたカットパイルで構成される。
【００１８】
引き続き、図４に示すように、金属の丸棒よりなる両芯材１２により、該両芯材１２と各毛羽１３ａとが交差（本実施形態では、直交）するように毛羽体１３を各連結糸１４に沿って挟持した状態で、該両芯材１２のそれぞれの両端部を束ねて捻る（捻り工程）。すると、図１に示すように、両芯材１２の長手方向に沿って各毛羽１３ａが螺旋状に配列されてなるブラシ１１が得られる。このように、ブラシ１１は、毛羽体形成工程を行った後に捻り工程を行うことで、容易に製造される。
【００１９】
以上詳述した実施形態によれば次のような効果が発揮される。
（１）毛羽体１３が所定方向へ規則的に並列した複数の毛羽１３ａを一体に形成してなるため、両芯材１２によって該毛羽体１３を挟持する際において、その作業を容易に行うことができるとともに、各毛羽１３ａを規則的に並列された状態（各毛羽１３ａの密度が均一の状態）に維持することができる。したがって、高品質で量産性に優れたブラシ１１を得ることができる。
【００２０】
（２）毛羽体１３は、両芯材１２により各連結糸１４に沿って挟持されるため、両芯材１２によって各毛羽１３ａをより一層強固に挟持することができる。このため、特にブラシ１１の使用時において、該ブラシ１１からの各毛羽１３ａの抜け落ちを効果的に抑制することができる。
【００２１】
（３）各連結糸１４は、毛羽体１３の短手方向における中央部において各毛羽１３ａを互いに連結しているため、毛羽体１３の短手方向における各連結糸１４を挟んだ両側に各毛羽１３ａがバランスよく配置することができる。このため、ブラシ１１において、両芯材１２の長手方向に沿って各毛羽１３ａをバランスよく螺旋状に配列することができる。
【００２２】
（４）毛羽体１３は基糸１５と各連結糸１４とを編んでなる編物１６を切断加工してなる該編物１６の加工品によって構成されるため、毛羽体１３の各毛羽１３ａの密度を容易に均一にすることができるとともに、その形状を安定させることができる。したがって、高品質の毛羽体１３を容易に形成することができ、ひいては高品質のブラシ１１を容易に製造することができる。この結果、ブラシ１１の量産性を向上することができる。
【００２３】
（変更例）
なお、上記実施形態は、次のように変更して具体化することも可能である。
・図５及び図６に示すように、ブラシ１１の製造方法において、毛羽体１３は、タテ糸１７ａとヨコ糸１７ｂとを帯状に織ってなる織物１７を加工してなる該織物１７の加工品によって構成してもよい。すなわち、図５に示すように、タテ糸１７ａとヨコ糸１７ｂとを帯状に織って織物１７を形成し、該織物１７の短手方向における中央部のヨコ糸１７ｂを数本（ここでは３本）残し、これ以外のヨコ糸１７ｂを抜き取る糸抜き加工を行うことで、図６に示す毛羽体１３を形成してもよい。この場合、毛羽体１３において、３本のヨコ糸１７ｂが連結部を構成し、タテ糸１７ａが各毛羽１３ａを構成する。
【００２４】
・図７に示すように、ブラシ１１の芯材１２を金属（例えば、アルミニウム）製の帯状の平板によって構成してもよい。この場合、芯材１２には、長さが同じに形成された一対の帯状の金属製の平板を用いてもよいし、一枚の帯状の金属製の平板を長手方向の中央で２つ折りにしたものを用いてもよい。このようにすれば、芯材１２によって毛羽体１３を容易に挟持することができるとともに、芯材１２を容易に捻ることができる。
【００２５】
・ブラシ１１の製造方法において、一対の棒状の芯材１２の代わりに、一本の芯材１２を長手方向の中央で２つ折りにしたものを用いてもよい。
・ブラシ１１の製造方法において、編物１６の各連結糸１４を挟んだ両側のうち少なくとも一方側のループ状の基糸１５を切断加工せずにそのままにしてもよい。この場合、毛羽体１３の各毛羽１３ａは、ループ状の基糸１５、すなわちループパイルで構成される。
【００２６】
・毛羽体１３において、連結部を構成する各連結糸１４は、織り、編みなどの方法によらず、柔軟性を有する接着剤による接着、熱溶着などの方法により接合するようにしてもよい。このようにしても、毛羽体１３を、各毛羽１３ａが帯状をなすように規則的に並列した状態で各連結糸１４によって一体に形成されたものとすることができる。
【００２７】
・毛羽体１３において、連結部を、柔軟性を有する接着剤による接着、熱溶着などの方法により接合する場合、該連結部は、糸に限らず、合成樹脂フイルム、あるいは不織布など柔軟性を有する各種材料によって構成してもよい。
【００２８】
・毛羽体１３において、連結部を構成する各連結糸１４は、必ずしも毛羽体１３の短手方向における中央部に配置する必要はない。例えば、各連結糸１４を、毛羽体１３の短手方向における端部や端部寄りの位置に配置してもよい。
【００２９】
・毛羽体１３において、連結部を粘着テープによって構成してもよい。この場合、毛羽体１３を構成する各毛羽１３ａを、帯状をなすように規則的に並列した状態に維持する必要がある。
【００３０】
・毛羽体１３において、連結部を、柔軟性を有する接着剤のみで構成してもよい。この場合、各毛羽１３ａを、帯状をなすように規則的に並列した状態で該各毛羽１３ａに接着剤を塗布し固化させることで、各毛羽１３aが一体に形成される。
【００３１】
・毛羽体１３は、連結部を省略し、各毛羽１３ａを、帯状をなすように規則的に並列した状態に維持しつつ、柔軟性を有する接着剤により互いに接着することで一体に形成するようにしてもよい。この場合、ブラシ１１の製造方法における捻り工程後に、各毛羽１３ａ同士を接着する接着剤をリムーバーによって除去する必要がある。
【００３２】
また、上記ブラシ１１と同様に、複数の毛羽１３ａを所定方向へ規則的に並列して該各毛羽１３ａを一体に形成してなる毛羽体１３を利用できるものとしては、図９（ｂ）に示すようないわゆるチャンネルブラシ２１が挙げられる。すなわち、図９（ｂ）に示すように、毛羽体１３は、チャンネルブラシ２１用の材料として用いることができる。そこで、以下、ブラシとしてのチャンネルブラシ２１の製造方法について説明する。
【００３３】
図８及び図９（ａ）に示すように、まず、毛羽体形成工程によって形成した毛羽体１３の一側面上に、各連結糸１４に沿って１本の芯材１２を該各連結糸１４に重なるように配置する。この状態で芯材１２を包むようにして毛羽体１３を２つ折りにする（毛羽体折曲工程）。引き続き、毛羽体折曲工程で２つ折りにされた毛羽体１３における芯材１２を包む部分を、該芯材１２とともに固定具としての断面コ字状をなす細長い直線状の鋼材であるチャンネル鋼２０の溝部２０ａ内に挿入した後、チャンネル鋼２０の両側壁２０ｂを内側に折り曲げてかしめることで、毛羽体１３をチャンネル鋼２０に固定する（固定工程）。すると、図９（ｂ）に示すように、芯材１２の長手方向に沿って各毛羽１３ａが直線状に配列されてなるチャンネルブラシ２１が得られる。このように、チャンネルブラシ２１は、毛羽体形成工程、毛羽体折曲工程、及び固定工程を順次行うことで、容易に製造される。
【００３４】
以上のように、毛羽体１３が規則的に並列した複数の毛羽１３ａを一体に形成してなるため、チャンネルブラシ２１の製造時において毛羽体１３を芯材１２とともにチャンネル鋼２０に固定する場合、その作業が容易になるとともに、各毛羽１３ａが規則的に並列された状態（各毛羽１３ａの密度が均一の状態）に維持することができる。したがって、高品質のチャンネルブラシ２１を容易に製造することができる。すなわち、高品質で量産性に優れたチャンネルブラシ２１を提供することができる。
【００３５】
また、このチャンネルブラシ２１の製造方法において、毛羽体１３として、編物１６の各連結糸１４を挟んだ両側のうち少なくとも一方側のループ状の基糸１５を切断加工せずにそのままにしたものを使用してもよい。この場合、毛羽体１３の各毛羽１３ａは、ループ状の基糸１５、すなわちループパイルで構成される。このようにすれば、従来から製造が困難であると言われていた、毛羽部分がループパイルよりなるチャンネルブラシを容易に製造することができる。
【００３６】
また、このチャンネルブラシ２１の製造方法において、毛羽体１３を、図６に示すようなタテ糸１７ａとヨコ糸１７ｂとを帯状に織ってなる織物１７を加工してなる該織物１７の加工品によって構成してもよい。
【００３７】
また、上記のようにして製造されたチャンネルブラシ２１の一本ないし複数本を、従来知られている固定方法によりシャフトに対して直線状ないし螺旋状に固定することで、ロール状の回転ブラシとすることが可能である。
【００３８】
さらに、上記実施形態より把握できる技術的思想について以下に記載する。
（イ）糸を編んでなる編物または糸を織ってなる織物を加工して所定方向へ規則的に並列した複数の毛羽が一体に形成された帯状の毛羽体を形成する毛羽体形成工程と、該毛羽体形成工程で形成された毛羽体を塑性変形可能な芯材により該芯材と前記各毛羽とが交差するように支持した状態で該芯材を捻ることで、該芯材の長手方向に沿って前記各毛羽を螺旋状に配列する捻り工程とを備えたことを特徴とするブラシの製造方法。
【００３９】
上記構成によれば、糸を編んでなる編物または糸を織ってなる織物を加工することで、規則的に並列した複数の毛羽を一体に形成してなる毛羽体を容易に形成することができる。また、毛羽体が規則的に並列した複数の毛羽を一体に形成してなるため、芯材によって該毛羽体を支持する際において、その作業が容易になるとともに、各毛羽が規則的に並列された状態（各毛羽の密度が均一の状態）に維持することができる。したがって、高品質のブラシを容易に製造することができる。
【００４０】
（ロ）糸を編んでなる編物または糸を織ってなる織物を加工して所定方向へ規則的に並列した複数の毛羽が一体に形成された帯状の毛羽体を形成する毛羽体形成工程と、該毛羽体形成工程で形成された毛羽体上に該毛羽体の長手方向に沿って前記芯材を配置した状態で該芯材を包むように前記毛羽体を２つ折りにする毛羽体折曲工程と、該毛羽体折曲工程で２つ折りにされた毛羽体における前記芯材を包む部分を該芯材とともに固定具によって固定する固定工程とを備えたことを特徴とするブラシの製造方法。
【００４１】
上記構成によれば、糸を編んでなる編物または糸を織ってなる織物を加工することで、規則的に並列した複数の毛羽を一体に形成してなる毛羽体を容易に形成することができる。また、毛羽体が規則的に並列した複数の毛羽を一体に形成してなるため、毛羽体を芯材とともに固定具によって固定する際において、その作業が容易になるとともに、各毛羽が規則的に並列された状態（各毛羽の密度が均一の状態）に維持することができる。したがって、高品質のブラシを容易に製造することができる。この場合、固定具に、断面コ字状をなす細長い形状の鋼材であるチャンネル鋼を用いることで、いわゆるチャンネルブラシを容易に製造することができる。
【００４２】
（ハ）所定方向に沿って延びる芯材と、所定方向へ規則的に並列した複数の毛羽を一体に形成してなる帯状の毛羽体と、所定方向に沿って延びる溝部を有する固定具とを備え、
前記毛羽体上に該毛羽体の長手方向に沿って前記芯材を配置した状態で該芯材を包むように前記毛羽体を２つ折りにした状態で、この２つ折りにされた毛羽体における前記芯材を包む部分を該芯材とともに前記固定具の溝部内に挿入して固定することによって、該芯材の長手方向に沿って前記各毛羽を配列してなることを特徴とするブラシ。
【００４３】
上記構成によれば、毛羽体が規則的に並列した複数の毛羽を一体に形成してなるため、毛羽体を芯材とともに固定具によって固定する際において、その作業が容易になるとともに、各毛羽の規則的に並列した状態（各毛羽の密度が均一の状態）が維持される。したがって、高品質で量産性に優れたブラシを提供することができる。この場合、固定具に、断面コ字状をなす細長い形状の鋼材であるチャンネル鋼を用いることで、高品質で量産性に優れたいわゆるチャンネルブラシを提供することができる。
【図面の簡単な説明】
【００４４】
【図１】実施形態におけるブラシの平面図。
【図２】実施形態において、毛羽体を形成するための編物の平面図。
【図３】実施形態における毛羽体の平面図。
【図４】実施形態におけるブラシの分解斜視図。
【図５】変更例において、毛羽体を形成するための織物の平面図。
【図６】変更例における毛羽体の平面図。
【図７】変更例におけるブラシの斜視図。
【図８】変更例におけるチャンネルブラシの分解斜視図。
【図９】（ａ）は図８の変更例におけるチャンネルブラシの製造途中の状態を示す断面図、（ｂ）は図８の変更例におけるチャンネルブラシの断面図。
【符号の説明】
【００４５】
１１…ブラシ、１２…芯材、１３…毛羽体、１３ａ…毛羽、１４…連結部を構成する連結糸、１６…編物、１７…織物、２０…固定具としてのチャンネル鋼、２０ａ…溝部、２１…チャンネルブラシ。
【図１】
2008104816.tif 000003
【図２】
2008104816.tif 000004
【図３】
2008104816.tif 000005
【図４】
2008104816.tif 000006
【図５】
2008104816.tif 000007
【図６】
2008104816.tif 000008
【図７】
2008104816.tif 000009
【図８】
2008104816.tif 000010
【図９】
2008104816.tif 000011